(57)【要約】【課題】無線通信システムにおける、移動体装置のための、セル不活性化に関連するランダム・アクセス手順を扱う方法が開示される。【解決手段】本方法は、無線通信システムのネットワークによって構成設定された二次セルを活性化する段階と、活性化された二次セルについてランダム・アクセス手順を実行する段階と、ランダム・アクセス手順の間にその二次セルが不活性化されたときに、該ランダム・アクセス手順を継続実行する段階とを含む。【選択図】図４
2013042500.tif 000002
【特許請求の範囲】
【請求項１】
無線通信システムにおける、移動体装置のための、セル不活性化に関連するランダム・アクセス手順を扱う方法であって、当該方法が：
前記無線通信システムのネットワークによって構成設定された二次セルを活性化する段階と；
活性化された前記二次セルについてランダム・アクセス手順を実行する段階と；
前記ランダム・アクセス手順の間に前記二次セルが不活性化されたとき、前記ランダム・アクセス手順を続けて実行する段階とを含むことを特徴とする、
方法。
【請求項２】
前記ランダム・アクセス手順の間に前記二次セルが不活性化されたとき、前記ランダム・アクセス手順を続けて実行する前記段階が：
前記ランダム・アクセス手順の間に前記二次セルが不活性化されたとき、前記ランダム・アクセス手順のための関連するサブフレーム中の物理下りリンク制御チャネル（PDCCH）をモニタリングすることを含むことを特徴とする、
請求項１記載の方法。
【請求項３】
前記関連するサブフレームが、前記ネットワークが前記ランダム・アクセス手順のランダム・アクセス応答および／または前記ランダム・アクセス手順の競合解決を送信するサブフレームであることを特徴とする、請求項２記載の方法。
【請求項４】
前記ランダム・アクセス手順が成功裏に完了したときに前記二次セルを再び活性化する段階をさらに含む、請求項１記載の方法。
【請求項５】
前記ネットワークから、前記ランダム・アクセス手順が前記二次セルの不活性化より高い優先度をもつことを示す信号を受信する段階をさらに含む、請求項１記載の方法。
【請求項６】
前記ランダム・アクセス手順の間に前記二次セルのための不活性化タイマーが満了することまたは前記ランダム・アクセス手順の間に前記ネットワークから前記二次セルを不活性化する信号が受信されることに起因して、前記二次セルが前記ランダム・アクセス手順の間に不活性化されることを特徴とする、請求項１記載の方法。
【請求項７】
無線通信システムにおける、移動体装置のための、セル不活性化に関連するランダム・アクセス手順を扱う方法であって、当該方法が：
前記無線通信システムのネットワークによって構成設定された二次セルを活性化する段階と；
活性化された前記二次セルについてランダム・アクセス手順を実行する段階と；
前記ランダム・アクセス手順の間に前記二次セルが不活性化されたとき、前記ランダム・アクセス手順をアボートする段階とを含むことを特徴とする、
方法。
【請求項８】
前記ランダム・アクセス手順の間に前記二次セルが不活性化されたとき、前記ランダム・アクセス手順をアボートする前記段階が：
明示的に信号伝達された、ランダム・アクセス・プリアンブル・インデックスおよび／または前記ランダム・アクセス手順のランダム・アクセス・プリアンブルが送信されることのできるサブフレームを示すランダム・アクセス・物理ランダム・アクセス・チャネル・マスク・インデックスを破棄することを含むことを特徴とする、
請求項７記載の方法。
【請求項９】
前記ランダム・アクセス手順の間に前記二次セルが不活性化されたとき、前記ランダム・アクセス手順をアボートする前記段階が：
メッセージ３バッファにおいてMAC  PDUの伝送のために使われるハイブリッド自動再送要求（HARQ）バッファをフラッシュすることを含むことを特徴とする、
請求項７記載の方法。
【請求項１０】
前記ネットワークから、前記二次セルの不活性化が前記ランダム・アクセス手順より高い優先度をもつことを示す信号を受信する段階をさらに含む、請求項７記載の方法。
【請求項１１】
前記ランダム・アクセス手順の間に前記二次セルのための不活性化タイマーが満了することまたは前記ランダム・アクセス手順の間に前記ネットワークから前記二次セルを不活性化する信号が受信されることに起因して、前記二次セルが前記ランダム・アクセス手順の間に不活性化されることを特徴とする、請求項７記載の方法。
【請求項１２】
無線通信システムにおける、ネットワークのための、セル不活性化に関連するランダム・アクセス手順を扱う方法であって、当該方法が：
前記無線通信システムの移動体装置のために二次セルを構成設定する段階と；
ランダム・アクセス手順と前記二次セルの不活性化との間の優先度を示す信号を前記移動体装置に提供する段階とを含むことを特徴とする、
方法。
【請求項１３】
前記信号がRRC信号であることを特徴とする、請求項１２記載の方法。
【請求項１４】
前記信号が、前記ランダム・アクセス手順を開始する物理下りリンク制御チャネル（PDCCH）命令であることを特徴とする、請求項１２記載の方法。
【請求項１５】
前記信号が活性化／不活性化コマンドであることを特徴とする、請求項１２記載の方法。
【発明の詳細な説明】
【技術分野】
【０００１】
本願は無線通信システムにおいて利用される方法に、より詳細には無線通信システムにおいてセル不活性化に関連するランダム・アクセス手順を扱う方法に関する。
【背景技術】
【０００２】
より高いピーク・データ・レートでのデータ送信のような高度な高速無線通信システムに向け、ロングターム・エボリューション（LET:  Long-Term  Evolution）システムの向上として、LTEアドバンスト（LTE-Advanced）システムが第三世代パートナーシップ・プロジェクト（3GPP:  3rd  Generation  Partnership  Project）によって標準化されている。LTEアドバンスト・システムは、電力状態間のより速い切り換えを目標とし、セル端でのパフォーマンスを改善し、帯域幅拡張、協調マルチポイント送受信（COMP:  coordinated  multipoint  transmission/reception）、上りリンク複数入力複数出力（MIMO:  multiple  input  multiple  output）などといった主題を含む。
【０００３】
帯域幅拡張のため、LTEアドバンスト・システムには搬送波結合（carrier  aggregation［キャリア・アグリゲーション］）が導入されている。これは、二つ以上の成分搬送波がまとめられたより広い帯域幅への拡張のため、より広い伝送帯域幅（たとえば100MHzまで）をサポートするため、およびスペクトル結合（spectrum  aggregation）のためである。搬送波結合機能によれば、複数の成分搬送波が全体的なより広い帯域幅にまとめられ、ユーザー装置（UE:  user  equipment）が、同時に送受信するための複数の成分搬送波に対応する複数のリンクを確立することができる。搬送波結合では、UEはネットワークと一つの電波資源制御（RRC:  radio  resource  control）接続をもつだけである。RRC接続確立／再確立／ハンドオーバーにおいては、一つのサービスするセルが非アクセス層（NAS:  Non-Access  Stratum）移動性（mobility）情報を提供し、RRC接続再確立／ハンドオーバーにおいては、一つのサービスするセルがセキュリティ入力を提供する。このセルは一次セル（PCell:  primary  cell）と称される。下りリンクでは、PCellに対応する成分搬送波は下りリンク一次成分搬送波（DL  PCC:  Downlink  Primary  Component  Carrier）であり、上りリンクでは、それは上りリンク一次成分搬送波（UL  PCC:  Uplink  Primary  Component  Carrier）である。さらに、Pセル以外のセルは二次セル（SCell:  secondary  cell）と命名される。
【０００４】
Pセル（すなわちULおよびDL  PCC）は常に活性化されているのに対し、Sセルは特定の条件（たとえば伝送データ量）に応じて活性化されたり不活性化されたりしうることを注意しておく。Sセルが不活性化されると、UEはそのSセルの物理下りリンク制御チャネル（PDCCH:  physical  downlink  control  channel）をモニタリングせず、そのSセルに関連するいかなる下りリンク割り当ても上りリンク承認も受け取らない。さらに、UEはそのSセル上の上りリンク共有チャネル（UL-SCH:  uplink  shared  channel）上で送信せず、そのSセル上で探査参照信号（SRS:  sounding  reference  signal）を送信しない。さらに、ネットワークは、活性化／不活性化コマンドを送ることによってSセルを活性化および不活性化する。UEは、Sセルが活性化されるときに、該Sセルについての不活性化タイマーを開始させ、不活性化タイマーが満了するとSセルは不活性化される。
【０００５】
従来技術によれば、あるPセルおよび一つのSセルまたは複数のSセルのUEを構成設定することが可能である。したがって、PセルおよびSセルまたは複数のSセルのために、それぞれ上りリンク・タイミングについてサービスする基地局との同期のための複数のタイミング整列（timing  alignments）が必要とされる。タイミング整列は、UEから送信される信号が、その基地局のカバー範囲のもとにある他のUEから送られた信号と衝突することを防止するためである。上りリンクをもつサービス・セルのうち同じタイミング整列が適用されるものはタイミング整列グループ（TAG:  timing  alignment  group）にグループ化される。各タイミング整列グループは、構成設定されたULをもつ少なくとも一つのサービスするセルを含み、各サービスするセルのタイミング整列グループへのマッピングは、サービスする発達型（evolved）基地局（eNB）によって構成設定される。Pセルと一緒にグループ化されていないSセルのために初期UL時間整列を得るためには、ランダム・アクセス（RA:  random  access）手順が使われる。Sセル上でRA手順が実行されるとき、UEはRA手順のメッセージ２（すなわち、ランダム・アクセス応答）および／またはメッセージ４（すなわち、競合解決）を受信するためにPDCCHをモニタリングする必要がある。
【０００６】
しかしながら、RA手順の間にSセルが不活性される場合にいかにしてRA手順を扱うかのガイドラインはない。たとえば、あるSセルが不活性化されている場合、UEはそのSセル上の、またはそのSセルのためのPDCCHをモニタリングすることができない。現行の3GPP規格によれば、UEはパワー漸増（ramping）を実行し、何度もメッセージ１（すなわち、ランダム・アクセス・プリアンブル）を再送信する。
【発明の概要】
【発明が解決しようとする課題】
【０００７】
このことを念頭に、本願は、上述の問題を解決するために、無線通信システムにおいてセル不活性化に関連するランダム・アクセス手順を扱う方法を提供することを目的とする。
【課題を解決するための手段】
【０００８】
このことは、請求項１、７および１２に基づくセル不活性化に関連するランダム・アクセス手順を扱う方法によって達成される。従属請求項は、対応するさらなる発展および改善に係る。
【０００９】
以下の詳細な説明からより明確に見て取れるように、無線通信システムにおける、移動体装置〔モバイル・デバイス〕のための、セル不活性化に関連するランダム・アクセス手順を扱う特許請求される方法は、無線通信システムのネットワークによって構成設定された二次セルを活性化する段階と、活性化された二次セルについてランダム・アクセス手順を実行する段階と、ランダム・アクセス手順の間にその二次セルが不活性化されたときに、該ランダム・アクセス手順を続けて実行する段階とを含む。
【図面の簡単な説明】
【００１０】
【図１】例示的な無線通信システムの概略図である。
【図２】図１の無線通信システムにおけるユーザー装置および複数セルの概略図である。
【図３】例示的な通信装置の概略図である。
【図４】例示的なプロセスのフローチャートである。
【図５】本発明の第一の実施形態に基づくフローチャートである。
【図６】例示的なプロセスのフローチャートである。
【図７】本発明の第二の実施形態に基づくフローチャートである。
【図８】例示的なプロセスのフローチャートである。
【図９】本発明の第三の実施形態に基づくフローチャートである。
【発明を実施するための形態】
【００１１】
無線通信システム１０の概略図である図１を参照されたい。無線通信システム１０はロングターム・エボリューション・アドバンスト（LTEアドバンスト）システムまたは他の移動体通信システムであり、簡単にいうと、ネットワークおよび複数のユーザー装置（UE）から構成される。図１では、ネットワークおよびUEは単に無線通信システム１０の構造を例解するために使われている。実際上は、ネットワークは、複数の発達型基地局（eNB）を含む発達型万国地上波電波アクセス・ネットワーク（E-UTRAN:  evolved  universal  terrestrial  radio  access  network）であってもよい。UEは携帯電話、コンピュータ・システム、カメラ、テレビジョン、ハンドヘルド・ビデオ・ゲーム機、音楽デバイス、無線センサーなどであることができる。いくつかの応用では、UEは、バス、列車、航空機、船、自動車などといった移動環境において動作する固定コンピューティング・デバイスであってもよい。さらに、ネットワークおよびUEは、伝送方向に応じて送信機または受信機と見なすことができる。たとえば、上りリンク（UL）については、UEが送信機であり、ネットワークが受信機であり、下りリンク（DL）については、ネットワークが送信機であり、UEが受信機である。
【００１２】
無線通信システム１０におけるUEおよび複数のセルの概略図である図２を参照されたい。UEは一つの一次セル（Pセル）および図２に示したSセル１〜SセルNのようないくつかの二次セル（Sセル）と通信する。下りリンクでは、Pセルに対応する成分搬送波は下りリンク一次成分搬送波（DL  PCC）であり、上りリンクでは、それは上りリンク一次成分搬送波（UL  PCC）である。UE機能に依存して、Sセルは、Pセルと一緒に、一組のサービスするセルを形成するよう構成されることができる。下りリンクでは、Sセルに対応する成分搬送波は下りリンク二次成分搬送波（DL  SCC）であり、上りリンクでは、それは上りリンク二次成分搬送波（UL  SCC）である。
【００１３】
図３は、例示的な通信装置３０の概略図を示している。通信装置３０は図１に示したUEであることができるが、それに限定されない。通信装置３０はマイクロプロセッサまたは特定用途向け集積回路（ASIC:  Application  Specific  Integrated  Circuit）のような処理手段３００と、記憶ユニット３１０と、通信インターフェース・ユニット３２０とを含んでいてもよい。記憶ユニット３１０は、処理手段３００によるアクセスのためにプログラム・コード３１４を記憶できるいかなるデータ記憶装置であってもよい。記憶ユニット３１０の例はこれに限られないが、加入者識別モジュール（SIM:  subscriber  identity  module）、読み出し専用メモリ（ROM）、フラッシュメモリ、ランダム・アクセス・メモリ（RAM）、CD-ROM、磁気テープ、ハードディスクおよび光学式データ記憶装置を含む。通信インターフェース・ユニット３２０は好ましくは電波トランシーバであり、処理手段３００の処理結果に従ってネットワーク（すなわち、PセルまたはSセル１〜SセルN）と無線信号を交換できる。
【００１４】
例示的なプロセス４０のフローチャートを示す図４を参照されたい。プロセス４０はSセル不活性化に際してランダム・アクセス手順を扱うためにUEにおいて利用される。プロセスは、プログラム・コード３１４にコンパイルされることができ、以下のステップを含む。
【００１５】
ステップ４００：開始
ステップ４１０：無線通信システムのネットワークによって構成設定されたSセルを活性化
ステップ４２０：活性化されたSセルについてランダム・アクセス手順を実行
ステップ４３０：前記ランダム・アクセス手順の間にSセルが不活性化されるとき、前記ランダム・アクセス手順を続けて実行
ステップ４４０：終了。
【００１６】
プロセス４０によれば、UEがSセルについてのランダム・アクセス手順を実行するが該ランダム・アクセス手順中にそのSセルが不活性化されるとき、UEはランダム・アクセス手順を継続して実行する。この状況において、UEはランダム・アクセス手順がSセル不活性化より優先順位が高いと考えてもよい。
【００１７】
プロセス４０に基づく例を取ろう。図２およびある実施形態に基づくフローチャートである図５を参照されたい。UEはPセルおよびSセル１〜Nと構成設定される。UEがSセル１を活性化するとき、UEはSセル１についての不活性化タイマーを始動させる。さらに、UEは、上りリンク・タイミング整列を得るために、Sセル１についての（またはあるタイミング整列グループ（TAG）についての）ランダム・アクセス手順を実行する。たとえば、UEはネットワークからPDCCH命令を受信し、この命令がSセル１について（またはあるタイミング整列グループ（TAG）について）ランダム・アクセス手順を実行するようUEをトリガーする。あるいは、UEがSセル１について（またはあるタイミング整列グループ（TAG）について）競合ベースのランダム・アクセス手順をトリガーする。Sセル１が不活性化される（たとえば、ランダム・アクセス手順中にSセル１についての不活性化タイマーが満了する、またはランダム・アクセス手順中にUEがネットワークからSセル１を不活性化する信号（たとえば活性化／不活性化コマンド）を受信する）場合、UEは、ランダム・アクセス手順のための関連する諸サブフレームにおける物理下りリンク制御チャネル（PDCCH）を継続してモニタリングする。関連するサブフレームは、ネットワークがメッセージ２（すなわち、ランダム・アクセス応答）および／またはRAメッセージ４（競合解決）を送りうるサブフレームであってもよいことを注意しておく。さらに、関連するサブフレームは、Sセル上でなくてもよい。たとえば、ネットワークはPセル上で、または他のSセル上でRAメッセージ２および／またはRAメッセージ４を送ってもよい。このほか、ランダム・アクセス手順が成功裏に完了される場合、ネットワークおよび／またはUEが、不活性化されたSセル（単数または複数）を再活性化し、関連する不活性化タイマー（単数または複数）を再び始動させてもよい。
【００１８】
いくつかの実施形態では、ランダム・アクセス手順が実行されているSセル１が不活性化される（たとえば、ランダム・アクセス手順中にSセル１についての不活性化タイマーが満了する、またはランダム・アクセス手順中にUEがネットワークからSセル１を不活性化する信号（たとえばMAC活性化／不活性化コマンド）を受信する）場合、ネットワークおよび／またはUEはSセル１上でそのランダム・アクセス手順を継続してもよい。他の実施形態では、ランダム・アクセス手順が実行されているSセル１が不活性化される（たとえば、ランダム・アクセス手順中にSセル１についての不活性化タイマーが満了する、またはランダム・アクセス手順中にUEがネットワークからSセル１を不活性化する信号（たとえばMAC活性化／不活性化コマンド）を受信する）場合、ネットワークおよび／またはUEは進行中のランダム・アクセス手順を継続しても、あるいは別Sセル上で新たなランダム・アクセス手順を開始してもよい。たとえば、ネットワークおよび／またはUEは、同じTAGからの別の活性化されているSセル２を選んで、上りリンク・タイミング調整のために、その活性化されているSセル２上でランダム・アクセス手順を実行してもよい。
【００１９】
例示的なプロセス６０のフローチャートを示している図６を参照されたい。プロセス６０はSセル不活性化に際してランダム・アクセス手順を扱うために、UEにおいて利用される。プロセス６０は、プログラム・コード３１４にコンパイルされることができ、以下のステップを含む。
【００２０】
ステップ６００：開始
ステップ６１０：無線通信システムのネットワークによって構成設定された二次セルを活性化
ステップ６２０：活性化された二次セルについてランダム・アクセス手順を実行
ステップ６３０：前記ランダム・アクセス手順の間に二次セルが不活性化されるとき、前記ランダム・アクセス手順をアボート
ステップ６４０：終了。
【００２１】
プロセス６０によれば、UEはSセルについてのランダム・アクセス手順を実行するが該ランダム・アクセス手順中にそのSセルが不活性化されるとき、UEは進行中のランダム・アクセス手順を停止またはアボートする。この状況において、UEはSセル不活性化がランダム・アクセス手順より優先順位が高いと考えてもよい。
【００２２】
プロセス６０に基づく例を取ろう。図２およびある実施形態に基づくフローチャートである図７を参照されたい。UEはPセルおよびSセル１〜Nと構成設定される。UEがSセル１を活性化するとき、UEはSセル１についての不活性化タイマーを始動させる。さらに、UEは、上りリンク・タイミング整列を得るために、Sセル１についての（またはあるタイミング整列グループ（TAG）についての）ランダム・アクセス手順を実行する。たとえば、UEはネットワークからPDCCH命令を受信し、この命令がSセル１について（またはあるタイミング整列グループ（TAG）について）ランダム・アクセス手順を実行するようUEをトリガーする。あるいは、UEがSセル１について（またはあるタイミング整列グループ（TAG）について）競合ベースのランダム・アクセス手順をトリガーする。Sセル１が不活性化される（たとえば、ランダム・アクセス手順中にSセル１についての不活性化タイマーが満了する、またはランダム・アクセス手順中にUEがネットワークからSセル１を不活性化する信号（たとえばMAC活性化／不活性化コマンド）を受信する）場合、UEは、ランダム・アクセス手順を停止またはアボートする。ランダム・アクセス手順の停止に関し、UEは、明示的に信号伝達された、システム・フレーム内でPRACHのインデックスを示すra-PreambleIndex〔ランダム・アクセス・プリアンブル・インデックス〕および／またはランダム・アクセス手順のランダム・アクセス・プリアンブルを送信されることのできるサブフレームを示すra-PRACH-MASKIndex〔ランダム・アクセス・物理ランダム・アクセス・チャネル・マスク・インデックス〕を破棄してもよい。さらに、UEはメッセージ３バッファにおいてMAC  PDUの伝送のために使われるHARQバッファをフラッシュしてもよい。
【００２３】
例示的なプロセス８０のフローチャートを示している図８を参照されたい。プロセス８０はSセル上でランダム・アクセス手順を扱うために、ネットワークにおいて利用される。プロセス８０は、プログラム・コード３１４にコンパイルされることができ、以下のステップを含む。
【００２４】
ステップ８００：開始
ステップ８１０：無線通信システムのUEのために二次セルを構成設定
ステップ８２０：ランダム・アクセス手順と二次セルの不活性化との間の優先関係を示す信号をUEに提供
ステップ８３０：終了。
【００２５】
プロセス８０によれば、ランダム・アクセス手順とSセルの不活性化との間の優先順位はネットワークによって決定される。さらに、ネットワークはUEにその優先順位を示すために信号を（たとえばRRC信号伝達によってまたはPDCCH命令によって）送信する。それにより、UEは、その優先順位に従って、ランダム・アクセス手順を継続して実行するか（つまりプロセス４０）、ランダム・アクセス手順を停止／アボートするか（つまりプロセス６０）を決定できる。
【００２６】
プロセス８０に基づく例を取ろう。図２およびある実施形態に基づくフローチャートである図９を参照されたい。UEはPセルおよびSセル１〜Nと構成設定される。UEがSセル１を活性化するとき、UEはSセル１についての不活性化タイマーを始動させる。さらに、UEは、上りリンク・タイミング整列を得るために、Sセル１についての（またはあるタイミング整列グループ（TAG）についての）ランダム・アクセス手順を実行する。たとえば、UEはネットワークからPDCCH命令を受信し、この命令がSセル１について（またはあるタイミング整列グループ（TAG）について）ランダム・アクセス手順を実行するようUEをトリガーする。あるいは、UEがSセル１について（またはあるタイミング整列グループ（TAG）について）競合ベースのランダム・アクセス手順をトリガーする。ランダム・アクセス手順とSセル不活性化の間の優先順位付けがネットワークによって提供されてもよい。いくつかの実施形態では、優先順はRRC接続再構成設定（RRC  Connection  Reconfiguration）メッセージまたはランダム・アクセス手順を開始するPDCCH命令によって提供されてもよい。ランダム・アクセス手順がSセル不活性化より高い優先度をもつ場合、Sセル１が不活性化される（たとえば、ランダム・アクセス手順中にSセル１についての不活性化タイマーが満了する、またはランダム・アクセス手順中にUEがネットワークからSセル１を不活性化する信号（たとえばMAC活性化／不活性化コマンド）を受信する）とき、UEはランダム・アクセス手順のための関連するサブフレーム（TTI）におけるPDCCHをモニタリングし続ける。さらに、ランダム・アクセス手順が成功裏に完了された場合、ネットワークおよび／またはUEは不活性化されたSセルを再び活性化して、関連する不活性化タイマーを再び始動させてもよい。
【００２７】
他方、Sセル不活性化がランダム・アクセス手順より高い優先度をもつ場合には、Sセル１が不活性化される（たとえば、ランダム・アクセス手順中にSセル１についての不活性化タイマーが満了する、またはランダム・アクセス手順中にUEがネットワークからSセル１を不活性化する信号（たとえばMAC活性化／不活性化コマンド）を受信する）とき、UEはランダム・アクセス手順を停止またはアボートする。
【００２８】
他の実施形態では、ランダム・アクセス手順とSセル不活性化との間の優先関係は、デフォルト値を有していてもよく、ネットワークは、その優先関係を修正するよう信号を提供してもよい。たとえば、デフォルトの優先順は、ランダム・アクセス手順がSセル不活性化より高い優先度をもつというものであってもよい。換言すれば、ランダム・アクセス手順中にSセル１についての不活性化タイマーが満了するとき、UEはランダム・アクセス手順を継続して実行してもよい。場合によって、ネットワークはその優先順を修正するよう信号を送ってもよい。たとえば、ネットワークがSセルを不活性化するための信号（たとえばMAC活性化／不活性化コマンド）を送る場合、その信号は暗黙的に、Sセル不活性化がランダム・アクセス手順より高い優先度をもつことを示してもよい。換言すれば、UEがランダム・アクセス手順中にネットワークからSセルを不活性化するための信号（たとえばMAC活性化／不活性化コマンド）を受信する場合、UEはSセルを不活性化し、ランダム・アクセス手順を停止またはアボートする。
【００２９】
提案されるステップを含むプロセスの上記のステップは、ハードウェア、ハードウェア装置とコンピュータ命令の組み合わせとして知られるファームウェアおよび前記ハードウェア装置上に読み出し専用ソフトウェアとして存在するデータまたは電子システムであることのできる手段によって実現できることを注意されたい。ハードウェアの例は、マイクロ回路、マイクロチップまたはシリコンチップとして知られる、アナログ、デジタルおよび混合式の回路を含むことができる。電子システムの例は、システム・オン・チップ（SOC:  system  on  chip）、システム・イン・パッケージ（Sip:  system  in  package）、コンピュータ・オン・モジュール（COM:  computer  on  module）および通信装置２０を含むことができる。
【００３０】
まとめると、本発明は、Sセル不活性化に際してランダム・アクセス手順を扱うための方法を提供する。ランダム・アクセス手順中にSセル不活性化が生じた場合、UEはランダム・アクセス手順の実行を維持する。あるいは、ランダム・アクセス手順中にSセル不活性化が生じた場合、UEはランダム・アクセス手順を停止／アボートする。
【符号の説明】
【００３１】
１０  無線通信システム
３００  処理手段
３１０  記憶ユニット
３１４  プログラム・コード
３２０  通信インターフェース・ユニット
４００  開始
４１０  無線通信システムのネットワークによって構成設定されたSセルを活性化
４２０  活性化されたSセルについてRA手順を実行
４３０  RA手順中にSセルが不活性化されるとき、RA手順を続けて実行
４４０  終了
６００  開始
６１０  無線通信システムのネットワークによって構成設定されたSセルを活性化
６２０  活性化されたSセルについてRA手順を実行
６３０  RA手順中にSセルが不活性化されるとき、RA手順をアボート
６４０  終了
８００  開始
８１０  無線通信システムのUEのためにSセルを構成設定
８２０  ランダム・アクセス手順と二次セルの不活性化との間の優先度を示す信号をUEに提供
８３０  終了
【図１】
2013042500.tif 000003
【図２】
2013042500.tif 000004
【図３】
2013042500.tif 000005
【図４】
2013042500.tif 000006
【図５】
2013042500.tif 000007
【図６】
2013042500.tif 000008
【図７】
2013042500.tif 000009
【図８】
2013042500.tif 000010
【図９】
2013042500.tif 000011